(57)【特許請求の範囲】
【請求項１】
移動体に付随して移動し、チェーン展開をするレストランについてのＣＭ放送を受信して各チェーン店の位置情報及び連絡先情報の配信を要求するために、前記ＣＭ放送を受信した放送の周波数、時刻及びユーザ位置情報を含む配信要求情報を外部に送信する移動体情報機器と、
ネットワークを介して前記移動体情報機器から送信された前記配信要求情報を受信するとともに、前記配信要求情報に含まれる周波数、時刻及びユーザ位置情報と、放送局から取得した放送リストとをマッチングすることにより受信されたＣＭ放送を特定し、さらにユーザ位置情報と特定されたＣＭ放送に係るレストランの複数のチェーン店について予め記憶されたチェーン店の位置情報とを比較して最も近いチェーン店を抽出し、予め記憶された各チェーン店の位置情報及び連絡先情報の中から抽出されたチェーン店の位置情報及び連絡先情報を前記移動体情報機器に配信する付加情報配信部と、を備えたことを特徴とする情報配信システム。
【請求項２】
前記チェーン店の位置情報は当該チェーン店付近の地図情報を含み、
前記チェーン店の連絡先情報は当該チェーン店の住所及び電話番号を含む請求項１に記載の情報配信システム。
【請求項３】
放送局ごとに、チェーン展開をするレストランについてのＣＭ放送と、該ＣＭ放送が放送される時刻とを対応づけて格納する放送リスト格納手段と、
前記ＣＭ放送に対応する複数のチェーン店の位置情報及び連絡先情報を格納する付加コンテンツ格納手段と、
前記複数のチェーン店の位置情報及び連絡先情報の配信を要求するための前記ＣＭ放送を受信した放送の周波数、時刻及びユーザ位置情報を含む配信要求情報を受信する受信手段と、
前記配信要求情報に含まれる周波数、時刻及びユーザ位置情報と、放送局から取得した放送リストとをマッチングすることにより受信されたＣＭ放送を特定し、さらにユーザ位置情報と特定されたＣＭ放送に係るレストランの複数のチェーン店について予め記憶されたチェーン店の位置情報とを比較して最も近いチェーン店を抽出し、予め記憶された各チェーン店の位置情報及び連絡先情報の中から抽出されたチェーン店の位置情報及び連絡先情報を選択する付加コンテンツ選択手段と、
選択された前記チェーン店の位置情報及び連絡先情報を配信する配信手段と、を備えることを特徴とする情報配信装置。
【請求項４】
前記チェーン店の位置情報は当該チェーン店付近の地図情報を含み、
前記チェーン店の連絡先情報は当該チェーン店の住所及び電話番号を含む請求項１に記載の情報配信システム。
【発明の詳細な説明】
【０００１】
【発明の属する技術分野】
本発明は、自動車等の移動体においてユーザが欲する情報、例えば広告宣伝情報を配信する情報配信システムに関するものである。
【０００２】
【従来の技術】
パーソナルコンピュータ（以下、ＰＣ）に代表される情報端末に向けて、商品または役務に関する広告情報を配信する情報配信システムが知られている。この情報配信システムは、広告情報を配信する情報配信事業者によって運営されるサーバと、インターネット等のネットを介して前記サーバに接続されるユーザが所有する情報端末とから基本的に構成される。
そして、ユーザの情報端末から送信される広告情報の配信要求に応じて、前記サーバは要求された広告情報をユーザの情報端末に対して配信する。ユーザの情報端末ごとに識別情報が付加されており、広告情報の配信要求とともにこの識別情報が送信されることにより、サーバは配信すべき広告情報および配信するユーザを特定する。
以上の情報配信システムは、ユーザは自己の要求する広告情報のみを入手することができるとともに、広告情報のスポンサにとっては関心度の高いユーザに当該広告情報を確実に提供できるという利点がある。
【０００３】
以上の情報配信システムの利用価値を高めることを目的とした情報配信システムが特開平１１−６５４３４号公報に開示されている。特開平１１−６５４３４号公報に開示された発明は、移動体端末から現在位置情報を情報配信事業者によって運営されているサーバに送信する。サーバは、送信された現在位置情報によって特定される地点から所定範囲内に関連付けて広告情報を検出して、この広告情報をユーザの移動体端末に配信する。
特開平１１−６５４３４号公報に開示された情報配信システムによれば、現在位置情報に関連付けられた広告情報を配信するため、携帯情報端末を所有するユーザにとって、より有用な広告情報を提供することができるという利点がある。
【０００４】
【発明が解決しようとする課題】
特開平１１−６５４３４号公報に開示された情報配信システムは、移動体、例えば自動車に搭載されるナビゲーション装置によって現在位置を特定している。したがって有用な広告情報を自動車の運転中に入手することができるが、ユーザの要求により的確に応える情報を配信することのできるシステムの登場が望まれている。
そこで本発明は、ユーザの要求に合致した情報を簡易な操作により移動体端末に対して配信することのできる情報配信システムの提供を課題とする。また本発明は、そのような情報配信システムに好適な移動体情報機器、情報配信装置を提供することを課題とする。
【０００５】
【課題を解決するための手段】
自動車走行中に、ユーザはラジオ放送を聞くことはよくある。ラジオ放送は、視聴情報として番組（プログラム）のほかに広告宣伝を含んでいる。自動車を運転しながらラジオ放送を聞いているユーザは、プログラムの合間に放送される広告情報について、より詳しい付加的な情報の提供を望むことがある。しかし、ラジオ放送からの広告情報は不特定多数に向けたものであり、このようなユーザの個々の要求に応えることはできない。一方で、ラジオ放送は地域的な色彩が強く、自動車走行中の現在位置と関連した広告情報を含んでいるということができる。したがって、ラジオ放送からの視聴情報に含まれる広告情報にリンクした付加的な情報を、ユーザの要求に応じて当該ユーザに配信することができれば、ユーザの要求に合致した情報を提供することができることになる。そして、ラジオ放送も含めた視聴情報のうちの所定の視聴情報（例えば、ＣＭ）おいてユーザがさらに付加的な情報を必要とする場合に、その旨を付加的な情報の配信元に通知し、配信元はその通知に応じて当該付加的な情報を配信するというシステムを構築すれば、ユーザの要求に合致した情報を提供することが可能となることを知見した。
【０００６】
すなわち本発明は、移動体に付随して移動し、チェーン展開をするレストランについてのＣＭ放送を受信して各チェーン店の位置情報及び連絡先情報の配信を要求するために、前記ＣＭ放送を受信した放送の周波数、時刻及びユーザ位置情報を含む配信要求情報を外部に送信する移動体情報機器と、ネットワークを介して前記移動体情報機器から送信された前記配信要求情報を受信するとともに、前記配信要求情報に含まれる周波数、時刻及びユーザ位置情報と、放送局から取得した放送リストとをマッチングすることにより受信されたＣＭ放送を特定し、さらにユーザ位置情報と特定されたＣＭ放送に係るレストランの複数のチェーン店について予め記憶されたチェーン店の位置情報とを比較して最も近いチェーン店を抽出し、予め記憶された各チェーン店の位置情報及び連絡先情報の中から抽出されたチェーン店の位置情報及び連絡先情報を前記移動体情報機器に配信する付加情報配信部と、を備えたことを特徴とする情報配信システムである。本発明の情報配信システムは、移動体、典型的には自動車において視聴情報を受信する際に機能するシステムである。視聴情報の典型例としては、ラジオ放送、テレビ放送があり、チェーン展開をするレストランについてのＣＭが放送されているときに、視聴者がそのＣＭについてさらに付加的な情報を要求する。その要求は、そのＣＭを受信した位置に関する地理的な情報を伴っており、情報を配信する側は付加的な情報が要求されたＣＭおよび地理的な情報に基づいて、視聴者に最も近いチェーン店の位置情報及び連絡先情報を提供することができる。
【０００７】
前記チェーン店の位置情報は当該チェーン店付近の地図情報を含み、また前記チェーン店の連絡先情報は当該チェーン店の住所及び電話番号を含むように構成することができる。
【００１０】
本発明は以上の情報配信システムに用いることのできる情報配信装置として、放送局ごとに、チェーン展開をするレストランについてのＣＭ放送と、該ＣＭ放送が放送される時刻とを対応づけて格納する放送リスト格納手段と、前記ＣＭ放送に対応する複数のチェーン店の位置情報及び連絡先情報を格納する付加コンテンツ格納手段と、前記複数のチェーン店の位置情報及び連絡先情報の配信を要求するための前記ＣＭ放送を受信した放送の周波数、時刻及びユーザ位置情報を含む配信要求情報を受信する受信手段と、前記配信要求情報に含まれる周波数、時刻及びユーザ位置情報と、放送局から取得した放送リストとをマッチングすることにより受信されたＣＭ放送を特定し、さらにユーザ位置情報と特定されたＣＭ放送に係るレストランの複数のチェーン店について予め記憶されたチェーン店の位置情報とを比較して最も近いチェーン店を抽出し、予め記憶された各チェーン店の位置情報及び連絡先情報の中から抽出されたチェーン店の位置情報及び連絡先情報を選択する付加コンテンツ選択手段と、選択された前記チェーン店の位置情報及び連絡先情報を配信する配信手段と、を備えることを特徴とする情報配信装置を提供する。本発明の情報配信装置は、チェーン展開をするレストランについてのＣＭ放送を特定する情報を格納する放送リスト格納手段を備えている。したがって、外部からＣＭ放送を特定するためのＣＭ放送を受信した放送の周波数、時刻及びユーザ位置情報を受信することにより、ＣＭ放送に対応するチェーン店の位置情報及び連絡先情報を選択し、かつ選択されたチェーン店の位置情報及び連絡先情報を配信することができる。しかも本発明の情報配信装置は、配信要求情報が発せられた地点に関する地理的な情報をも考慮してユーザに最も近いチェーン店を選択するので、配信を要求するユーザの要求に合致したチェーン店の位置情報及び連絡先情報を配信することができる。
【００１１】
前記チェーン店の位置情報は当該チェーン店付近の地図情報を含み、また前記チェーン店の連絡先情報は当該チェーン店の住所及び電話番号を含むように構成することができる。
【００１３】
【発明の実施の形態】
以下本発明を実施の形態に基づいて説明する。
図１は、本実施の形態による情報配信システムの概略構成を示すブロック図である。
図１に示すように、本実施の形態における情報配信システムは、サービス事業会社サーバ１０と移動情報機器としてのナビゲーション装置２０とが、公衆電話回線網やインターネット７０等のネットワークを介して接続された構成となっている。
サービス事業会社サーバ（以下、単にサーバ）１０は、通信部１１、放送リスト管理部１２、付加コンテンツ管理部１３、顧客情報管理部１４、放送リストＤＢ（データ・ベース）１５、付加コンテンツＤＢ（データ・ベース）１６、顧客情報ＤＢ（データ・ベース）１７、とを備えて構成されている。これらの詳細については後述する。
ナビゲーション装置２０は、インターネット７０に接続するための通信手段を備える。本実施の形態では、この通信手段として通信端末２５がナビゲーション装置２０に着脱自在に接続されるものとする。なお通信端末２５としては、携帯型電話端末やＰＤＡ（Personal Digital Assistant）のような携帯型情報端末等、公知の通信端末を使用することができる。また、ＩＴＳ（Intelligent Transport System）専用端末を用いることもできる。さらに、ナビゲーション装置２０は、ラジオ放送Ｒを受信する機能をも備えている。
【００１４】
本実施の形態におけるナビゲーション装置２０の構成を図２に示す。
図２に示すように、本実施の形態におけるナビゲーション装置２０は、所定の広域エリアの地図データが格納されたＣＤ（Compact Disc）−ＲＯＭ（Read Only Memory）やＤＶＤ（Digital Versatile Disc）−ＲＯＭ等の記録ディスクを搭載するディスクドライブ２１、地図を表示する液晶表示ディスプレイ等のモニタからなる表示部２２、ガイダンス用の音声を出力するスピーカ２３、リモートコントローラやコントロールパネル等の操作部２４、インターネット７０と接続を行うための通信手段である通信端末２５、自車位置（自位置）の測位を行う測位ブロック２６、装置全体を制御する制御ブロック２７、ラジオ放送Ｒを受信するためのラジオ受信部５０とを備えて構成されている。
【００１５】
測位ブロック２６は、ＧＰＳ衛星から発信された信号を受信するＧＰＳアンテナ３１、ＧＰＳアンテナ３１から得た信号に基づいて測位を行うＧＰＳ測位部３２の他、ＧＰＳ測位部３２での測位結果を補正するいわゆる自立航法を行うための構成として、当該ナビゲーション装置２０が搭載された車両（移動体）の回転変位を検出するジャイロセンサ３３、車両の走行距離を検出する距離センサ３４、ジャイロセンサ３３および距離センサ３４で得た検出値に基づいてＧＰＳ測位部３２での測位結果を補正する測位補正部３５、を備えている。
【００１６】
距離センサ３４は車両のドライブシャフト（図示せず）の所定角度の回転毎にパルス信号を発生するパルス発生器からなる。このパルス発生器は磁気的に或いは光学的にドライブシャフトの回転角度位置を検出してパルス信号を発生する公知のものである。
制御ブロック２７は、システム全体の制御や演算処理を行うＣＰＵ４０、ＤＲＡＭ（Dynamic Random Access Memory）等からなる内部記憶装置としてのＲＡＭ４１、ナビゲーション装置２０を作動させるための所定のプログラムが格納されたＲＯＭ４２、ディスクドライブ２１等を制御する記憶制御部４３、表示部２２での描画を制御する表示制御部４４、スピーカ２３で出力する音声の制御を行う音声制御部４５、操作部２４からの入力信号を制御する入力制御部４６、移動経路を設定する経路設定制御部４７、通信端末２５を通じてインターネット７０と通信を行う通信部４８、ラジオ受信部５０で受信したラジオ放送Ｒに関する情報を管理するラジオ情報管理部４９を備えている。
【００１７】
ところで、前記測位ブロック２６は、時計機能を有するリアルタイムクロック（ＲＴＣ）３６を備えており、ＧＰＳ衛星から得られる信号により正確な時刻設定ができるようになっている。ＧＰＳ衛星からの信号には高精度な時刻情報が含まれており、ＲＴＣ３６は得られた時刻情報に基づいて時間、日時、年の情報を取得する。
ラジオ情報管理部４９は、ラジオ受信部５０が受信している間に操作部２４に対する所定の操作がなされたときに、受信しているラジオ放送Ｒの周波数をラジオ受信部５０から取得する。また、ラジオ情報管理部４９は、当該操作がなされた時刻を、ＲＴＣ３６から取得する。さらに、ラジオ情報管理部４９は、当該操作がなされた現在地の位置情報を、測位ブロック２６から取得する。取得した周波数、時刻および位置情報は、対応付けてラジオ情報格納部４９ａに格納する。またラジオ情報管理部４９は、ラジオ情報格納部４９ａにユーザ識別情報を保持している。ユーザ識別情報としては、例えばナビゲーション装置２０に付加されたシリアル番号や車両ＩＤを用いることができる。さらに、ラジオ情報管理部４９は、ラジオ受信部５０が受信している間に操作部２４に対する所定の操作がなされると、取得した周波数、時刻および現在位置情報をユーザ識別情報と対応付けて、通信端末２５を介してインターネット７０に対して送信するように通信部４８に指示する。この位置情報は、緯度、経度から構成される。
【００１８】
次に、本実施の形態におけるサーバ１０の構成を説明する。
図１に示したようにサーバ１０は、通信部１１、放送リスト管理部１２、付加コンテンツ管理部１３、顧客情報管理部１４、放送リストＤＢ１５、付加コンテンツＤＢ１６、顧客情報ＤＢ１７、とを備えて構成されている。
通信部１１は、インターネット７０を介してナビゲーション装置２０と情報の送受信が可能となっており、ナビゲーション装置２０から送信されるユーザ識別情報、周波数、時刻および位置情報の受信を行う。また通信部１１は、ナビゲーション装置２０に対して、付加コンテンツＤＢ１６に格納されている付加コンテンツを付加コンテンツ管理部１３の指示により送信する。
【００１９】
放送リスト管理部１２は、ラジオ放送局から提供される放送リストとナビゲーション装置２０から送信される周波数、時刻とをマッチングすることにより、当該周波数、時刻に対応する放送の内容、つまり放送コンテンツを特定する。本実施の形態においては、この放送コンテンツをＣＭとしているため、当該周波数、時刻に対応するＣＭが特定されることになる。
付加コンテンツ管理部１３は、放送リスト管理部１２によって特定されたＣＭに関する付加コンテンツを抽出する。この際、ナビゲーション装置２０から送信される現在位置情報も考慮される。つまり、放送リスト管理部１２によって特定されたＣＭに関する付加コンテンツであって、さらに当該現在位置情報に関連した付加コンテンツを選択する。
顧客情報管理部１４は、ユーザ識別情報に基づくユーザの認証およびユーザに関する情報の収集を行う。ここで、ユーザに関する情報としては、ユーザの住所、電話番号、メールアドレス等のユーザの連絡先が挙げられる。
【００２０】
放送リストＤＢ１５は、ＣＭ放送とそのＣＭ放送が放送される時刻とを対応付けた情報を例えば図６に示すようなテーブル形式で格納する。このＣＭ放送とそのＣＭ放送が放送される時刻とを対応付けた情報は、放送局から提供される。放送リスト管理部１２は、ナビゲーション装置２０から送信される周波数、時刻と図６に示したテーブルとをマッチングすることにより、当該ＣＭを特定することができる。
付加コンテンツＤＢ１６は、各ＣＭ放送に対応する付加コンテンツを図７に示すようなテーブル形式で格納する。付加コンテンツには、付加コンテンツについての位置情報も対応付けて格納する。例えば、チェーン展開をするレストランについてのＣＭ放送の場合、ＣＭ放送では当該レストラン・チェーンの存在をアピールする広告を流すのに対して、付加コンテンツでは各チェーン店の情報を含む。そして、付加コンテンツＤＢ１６は、各チェーン店についての位置情報を各チェーン店の情報に対応付けて格納する。図７の場合、「地図情報」は、当該チェーン店付近の地図情報および緯度、経度からなる位置情報が含まれる。各チェーン店の情報は、住所、電話番号等の連絡先が挙げられる。付加コンテンツ管理部１３は、放送リスト管理部１２で特定されたＣＭおよびナビゲーション装置２０から送信される現在位置情報（緯度、経度）に基づいて、図７に示したテーブルからユーザの現在位置に最も近いチェーン店を抽出することができる。
顧客情報ＤＢ１７には、本システムによるサービスの提供を受ける各ユーザに関する情報が格納されている。なお、顧客情報管理部１４が収集したユーザに関する情報は随時顧客情報ＤＢ１７に格納される。
【００２１】
次に、図３に示すフローチャートに基づいて、サーバ１０およびナビゲーション装置２０における処理の流れを説明する。
ユーザがラジオ放送Ｒを聞きながら自動車を運転している際に、ＣＭ放送、例えば、レストランについてのＣＭ放送が流れたとする。このとき、ナビゲーション装置２０の表示部２２には、図４に示すように、「付加コンテンツを要求する場合には、ボタンＡを押してください」との表示がなされている。なお、表示部２２として、例えばタッチセンサー付きの液晶表示ディスプレイが用いられているものとする。表示部２２には、図４に示すように、操作部２４としてのボタンＡが表示されている。
ユーザは、食事を取りたいこともあり、ボタンＡを押す操作を行ったとする（図３  Ｓ１０１）。この操作は、付加コンテンツを要求するものである。ボタンＡを押すと、入力制御部４６（図２）がこの操作を検知して、ラジオ情報管理部４９に通知する。ラジオ情報管理部４９はこの通知を受けて、受信しているラジオ放送Ｒの周波数をラジオ受信部５０から、当該操作がなされた時刻をＲＴＣ３６から、また、当該操作がなされたときの現在位置情報を測位ブロック２６から取得する（図３  Ｓ１０２）とともに、当該情報をユーザ識別情報（ＩＤ）とラジオ情報格納部４９ａに格納する。
ラジオ情報管理部４９は、取得した周波数、時刻および位置情報をユーザ識別情報（ＩＤ）と対応付けて、通信端末２５を介してインターネット７０に対して送信するように通信部４８に指示する。すると、通信部４８は通信端末２５を介して周波数、時刻および位置情報をユーザ識別情報と対応付けて、サーバ１０に向けて送信する。なお、送信された情報を、付加コンテンツ要求情報ということにする。
【００２２】
サーバ１０は、通信部１１を介してユーザからの付加コンテンツ要求情報アクセスを受け付ける（図３  Ｓ１０４）。顧客情報管理部１４は、付加コンテンツ要求情報に含まれるＩＤと顧客情報ＤＢ１７に格納されている情報に基づきＩＤを認証する（図３  Ｓ１０５）。
ＩＤの認証が終わると、放送リスト管理部１２は、付加コンテンツ要求情報に含まれる周波数および時刻情報と、放送リストＤＢ１５に格納されている例えば図６に示したテーブルとをマッチングすることにより、ユーザが付加コンテンツを要求したＣＭ放送を特定する（図３  Ｓ１０６）。
ＣＭ放送が特定されると、付加コンテンツ管理部１３は、特定したＣＭおよび付加コンテンツ要求情報に含まれる現在位置情報と、付加コンテンツＤＢ１６に格納されている例えば図７に示したテーブルとをマッチングすることにより、付加コンテンツを選択する（図３  Ｓ１０７）。より具体的には、付加コンテンツ要求情報を要求した当該ユーザの現在位置に最も近いレストランの店舗についての付加コンテンツを抽出する。
通信部１１は、付加コンテンツを要求したユーザに対して選択された付加コンテンツを送信する。以上で、サーバ１０の処理は終了する。
【００２３】
通信端末２５は、サーバ１０から送信された付加コンテンツを受信し（図３  Ｓ１０９）、次いで、ナビゲーション装置２０は表示部２２に付加コンテンツを表示する（図３  Ｓ１１０）。表示の例を図５に示す。図５の例では、現在位置に最も近いレストランの店舗についてのマップ、住所、電話番号が付加コンテンツとして表示されている。
【００２４】
以上、本発明に係る実施の形態について説明したが、この実施形態は本発明の要部を具現化したものである。本発明の情報配信システムを展開したビジネスモデルについて説明する。
図８は、本発明に基づくビジネスモデルを説明するためのブロック図である。
図８において、ユーザは、自己の所有する自動車に前述したナビゲーション装置２０を備えている。以上の実施形態においては、ナビゲーション装置２０がラジオ受信部５０を備えた例を説明したが、ナビゲーション装置２０とラジオ受信部５０とは、一体である必要はなく、別体であっても良い。ユーザは、通信端末２５として携帯電話、あるいはＩＴＳ専用端末を備える。通信端末２５もナビゲーション装置２０と一体であっても、別体であっても良い。
【００２５】
ラジオ放送局ＲＢは、スポンサＰからのスポンサ料に基づいて番組を作成し、放送する。放送には、良く知られているように、スポンサＰに関するＣＭが含まれる。
サービス事業会社Ｓは、前述したサーバ１０を運営している。サービス事業会社Ｓは、ラジオ放送局ＲＢから放送リストを受領して、サーバ１０の放送リストＤＢ１５に所定の形式で格納する。サービス事業会社Ｓは、受領する放送リストＤＢ１５の使用料をラジオ放送局ＲＢに支払う。ユーザとサービス事業会社Ｓとは、携帯電話会社または民間ＩＴＳ運営会社を介して接続される。
スポンサＰは、ラジオ放送局ＲＢに対してスポンサ料を支払う一方、サービス事業会社Ｓに対して、付加コンテンツの配信に対する対価をコンサルティング料を支払う。スポンサＰは、付加コンテンツの配信状況に基づいてサービス事業会社Ｓからコンサルティングを受けることができる。スポンサＰとサービス事業会社Ｓとは、インターネット７０等のネットワークを介して接続することができる。
【００２６】
以上のビジネスモデルにおいて、ラジオ放送局ＲＢは自社で作成した番組を放送する。この放送にはもちろんＣＭが含まれる。ユーザはラジオ放送Ｒを視聴中に、付加コンテンツを要求する。前述した実施形態では、ＣＭを視聴中に付加コンテンツの要求を行う例を示したが、本発明はこれに限定されない。例えば、楽曲が放送されている場合に、その楽曲について付加コンテンツの要求を行うこともできる。この場合の付加コンテンツとしては、曲目、当該曲を演奏するアーティスト、当該曲を収録するＣＤ（Compact Disc）、当該アーティストのコンサート情報、コンサート会場、コンサートのチケット販売等に関する情報が挙げられる。また、前述のレストランのＣＭについても、レストランの店舗の情報に限らず、レストランで開催するフェアについての情報を付加コンテンツとすることもできる。さらに、個人商店が自己の店についてのＣＭを放送する場合には、付近を走行する自動車に対してお買い得情報、タイム・サービス情報を付加コンテンツとして配信することもできる。
ユーザは、走行中の自動車から付加コンテンツの要求を行い、走行中の自動車において付加コンテンツを受信および確認することができるが、当該付加コンテンツをサービス事業会社Ｓが有料または無料で運営するロッカー（Locker）に蓄積するサービスを選択することも可能である。そして、ユーザは自宅に戻った後に、例えばインターネット７０を介してロッカーに蓄積した情報を入手することもできる。例えば、前述のレストランのＣＭについてクーポンを付加コンテンツとすることもでき、その場合に付加コンテンツをロッカーに蓄積し、自宅のＰＣでその付加コンテンツを入手することもできる。
【００２７】
以上説明したように本実施の形態による情報配信システムによれば、放送局から視聴情報として放送されるＣＭその他の放送コンテンツに対して付加コンテンツの要求をなし、かつこの付加コンテンツの要求がなされた位置情報に基づいて、サーバ１０から付加コンテンツを配信する。したがって、ユーザの要求に合致した付加コンテンツを配信することができる。また、サービス事業会社Ｓは、付加コンテンツの要求を蓄積、データ・ベース化することにより、このデータ・ベースに基づいて、ラジオ放送局ＲＢ、スポンサＰに対して、視聴者の要求、この要求と時間、位置との相関関係についてコンサルティングし、あるいはこの情報を販売することもできる。
【００２８】
【発明の効果】
以上説明したように、本発明によれば、ユーザの要求に合致した情報を簡易な操作により移動体情報端末に対して配信することのできる情報配信システムを提供することができる。
【図面の簡単な説明】
【図１】  本実施の形態による情報配信システムの概略構成を示すブロック図である。
【図２】  本実施の形態によるナビゲーション装置の概略構成を示すブロック図である。
【図３】  本実施の形態によるサーバおよびナビゲーション装置の処理を示すフローチャートである。
【図４】  ラジオ放送受信時のナビゲーション装置の表示を示す図である。
【図５】  配信された付加コンテンツをナビゲーション装置が表示する状態を示す図である。
【図６】  放送リストＤＢに格納されるテーブルを示す図である。
【図７】  付加コンテンツＤＢに格納されるテーブルを示す図である。
【図８】  本実施の形態を利用したビジネスモデルの概略構成を示すブロック図である。
【符号の説明】
１０…サービス事業会社サーバ、１１…通信部、１２…放送リスト管理部、１３…付加コンテンツ管理部、１４…顧客情報管理部、１５…放送リストＤＢ、１６…付加コンテンツＤＢ、１７…顧客情報ＤＢ、２０…ナビゲーション装置、２５…通信端末、２６…測位ブロック、２７…制御ブロック、３２…ＧＰＳ測位部、３４…距離センサ、３５…測位補正部、３６…リアルタイムクロック（ＲＴＣ）、４８…通信部、４９…ラジオ情報管理部、４９ａ…ラジオ情報格納部、５０…ラジオ受信部、Ｒ…ラジオ放送、ＲＢ…ラジオ放送局、Ｐ…スポンサ、Ｓ…サービス事業会社
【図１】
0004507462.tif 000002
【図２】
0004507462.tif 000003
【図３】
0004507462.tif 000004
【図４】
0004507462.tif 000005
【図５】
0004507462.tif 000006
【図６】
0004507462.tif 000007
【図７】
0004507462.tif 000008
【図８】
0004507462.tif 000009